(57)【要約】【課題】葉組みを必要とする植物について、葉組み作業を簡単に行うことができ、かつ、品質の良い植物を効率的に育成することができる植物の栽培装置を提供する。【解決手段】葉組み用器具と、炭酸ガスを供給する炭酸ガス供給装置と、炭酸ガス濃度センサと、制御部とを備え、前記葉組み用器具は、多孔性パイプと、多孔性パイプに荷重を印加する重り部材と、一端部が多孔性パイプと通気可能に接続され、他端部が炭酸ガス供給装置に接続されている気体供給管とを備え、多孔性パイプが栽培植物の上に株元の中央部が開かれるように載置された状態で、炭酸ガス濃度センサから取得した炭酸ガス濃度が所定の閾値を下回ると、制御部が炭酸ガス供給装置から所定濃度の炭酸ガスを供給させるように構成されていることを特徴とする植物の栽培装置により、栽培植物が光合成をする際に多孔性パイプから栽培植物の株元に向けて十分な量の炭酸ガスを供給できるので、光合成を活性化して生育を促進することができる。【選択図】    図１
2019118282.tif 000002
【特許請求の範囲】
【請求項１】
栽培容器により育成される植物上に載置される葉組み用器具と、所定濃度の炭酸ガスを供給する炭酸ガス供給装置と、前記植物の葉の近傍に設けられた炭酸ガス濃度センサと、前記炭酸ガス濃度センサから取得した炭酸ガスに関する情報に基づいて前記炭酸ガス供給装置が供給する炭酸ガスの供給量及び供給時間を制御する制御部とを備え、
前記葉組み用器具が、壁面に多数の孔が設けられている管材が略円環状に曲げられた多孔性パイプと、所定の重さを有し、前記多孔性パイプに、荷重を印加するように取り付けられた重り部材と、一端部が前記多孔性パイプと通気可能に接続され、他端部が前記炭酸ガス供給装置に接続されている気体供給管とを備え、
前記多孔性パイプが前記植物の上に、株元の中央部が開かれるように載置された状態で、前記制御部が、前記炭酸ガス濃度センサから取得した炭酸ガス濃度が所定の閾値未満のときに、前記炭酸ガス供給装置に所定濃度の炭酸ガスを供給させるように構成されていることを特徴とする植物の栽培装置。
【請求項２】
栽培容器により育成される複数の植物上に載置される葉組み用フレームと、所定濃度の炭酸ガスを供給する炭酸ガス供給装置と、前記植物の葉の近傍に設けられた炭酸ガス濃度センサと、前記炭酸ガス濃度センサから取得した炭酸ガスに関する情報に基づいて前記炭酸ガス供給装置が供給する炭酸ガスの供給量及び供給時間を制御する制御部とを備え、
前記葉組み用フレームが、枠状に形成された所定の重さを有する枠部材と、前記枠部材の内側の側面に沿って配設された通気可能な枠管と、前記枠管から枠部材の内側に向けて延びた通気可能な複数の枝管と、それぞれが前記枠部材の内側の前記植物に対応する位置に設けられ、壁面に多数の孔が設けられている管材が略円環状に曲げられた複数の多孔性パイプであって、それぞれ、枠部材の下方に位置するように前記枝管と通気可能に接続された多孔性パイプと、一端部が前記枠管と通気可能に接続され、他端部が前記炭酸ガス供給装置に接続された気体供給管とを備え、
前記多孔性パイプがそれぞれ対応する前記植物の上に、株元の中央部が開かれるように載置され、前記制御部が、前記炭酸ガス濃度センサから取得した炭酸ガス濃度が所定の閾値未満のときに、前記炭酸ガス供給装置に所定濃度の炭酸ガスを供給させるように構成されていることを特徴とする植物の栽培装置
【請求項３】
前記葉組み用フレームを地面から支持するように前記枠部材に支持脚が取り付けられており、
前記支持脚が、前記枠部材に取り付けられた支持軸と、前記支持軸を受ける軸受部材と、前記軸受部材を受けるソケット部材と、前記ソケット部材が取り付けられ、前記枠部材と平行になるように延びて地面と接している台座とを備え、前記軸受部材が、その軸方向に穴が設けられており、その穴には前記支持軸が軸方向に移動可能に挿入され、その穴の底面には弾性部材が取り付けられており、
前記ソケット部材が、前記軸受部材を上下可能に保持するように構成されていることを特徴とする請求項２に記載の植物の栽培装置。
【請求項４】
前記炭酸ガス供給装置が、空気と炭酸ガスとを前記気体供給管に切替可能に供給するように構成されていることを特徴とする請求項１ないし３に記載の植物の栽培装置。
【請求項５】
前記多孔性パイプが、その管材の一部に伸縮自在の継手が設けられていることを特徴とする請求項１ないし４に記載の植物の栽培装置。
【請求項６】
前記多孔性パイプが、始端部と終端部を有する曲げることができる管材によって構成され、前記始端部と前記終端部が近接するように、前記管材を略円環状に曲げることによって形成されていることを特徴とする請求項１ないし４に記載の植物の栽培装置。
【発明の詳細な説明】
【技術分野】
【０００１】
本発明は、葉組みを必要とする栽培植物の栽培装置に関するものであり、例えば、シクラメンの栽培装置に関するものである。
【背景技術】
【０００２】
ある種の栽培植物においては、育成の過程で、その外観が好ましくなるように、株の中央に寄り集まった葉や茎を栽培容器の外側に向けて引き出し、引き出した葉や茎を組み合うようにからませて引き出した状態を保っておく作業が行われる。
この作業は、一般に、「葉組み」と呼ばれている。このような葉組みを必要とする栽培植物として代表的なものにシクラメンがある。シクラメンに葉組みをすると、株元の中央部が開かれるので、その部分の日照量が増え、風通しも良くなり、株元の葉や花芽の生育を促すことができる。その結果、葉組み後に成長した花芽は、中央にまとまるようにして花を咲かせるので、株の外観を見栄えよく整えることができる。
【０００３】
一方で、葉組みは手作業で行うと大きな手間がかかるという問題がある。そこで、特許文献１には、栽培植物に葉組み用リングを載置することで、その重量により、栽培植物の葉及び茎を栽培容器の外側に押し拡げて葉組み作業を簡単に行うことができるようにした植物の栽培装置が提案されている。
【先行技術文献】
【特許文献】
【０００４】
【特許文献１】実開平６−１９４２９号公報
【発明の概要】
【発明が解決しようとする課題】
【０００５】
しかし、特許文献１に記載された栽培植物の栽培装置は単に葉組み作業を簡単化するにとどまり、商品として品質の良い植物を効率的に育成するためには改善の余地があった。
【０００６】
したがって、本発明の目的は、葉組みを必要とする植物について、葉組み作業を簡単に行うことができ、かつ、品質の良い植物を効率的に育成することができる植物の栽培装置を提供することにある。
【課題を解決するための手段】
【０００７】
本発明のかかる目的は、栽培容器により育成される植物上に載置される葉組み用器具と、所定濃度の炭酸ガスを供給する炭酸ガス供給装置と、前記植物の葉の近傍に設けられた炭酸ガス濃度センサと、前記炭酸ガス濃度センサから取得した炭酸ガスに関する情報に基づいて前記炭酸ガス供給装置が供給する炭酸ガスの供給量及び供給時間を制御する制御部とを備え、前記葉組み用器具が、壁面に多数の孔が設けられている管材が略円環状に曲げられた多孔性パイプと、所定の重さを有し、前記多孔性パイプの内部に取り付けられた重り部材と、一端部が前記多孔性パイプと通気可能に接続され、他端部が前記炭酸ガス供給装置に接続されている気体供給管とを備え、前記多孔性パイプが前記植物の上に、株元の中央部が開かれるように載置された状態で、前記制御部が、前記炭酸ガス濃度センサから取得した炭酸ガス濃度が所定の閾値未満のときに、前記炭酸ガス供給装置に所定濃度の炭酸ガスを供給させるように構成されていることを特徴とする植物の栽培装置によって達成される。
【０００８】
本発明によれば、炭酸ガス濃度センサが栽培植物の葉の近傍で取得した炭酸ガス濃度が所定の閾値未満の場合に、制御部からの指令により炭酸ガス供給装置から所定の炭酸ガス濃度を有する十分な量の気体が、葉組み用器具の気体供給管および多孔性パイプを介して、栽培植物に供給されるから、栽培植物の株元や葉に向けて炭酸ガスが散布される。したがって、栽培植物が光合成を開始して周囲の炭酸ガス濃度が低下するタイミングで、葉組み用器具の多孔性パイプから栽培植物の株元に向けて十分な量の炭酸ガスを供給できるので、栽培植物の光合成を活性化して生育を促進し、品質の良い栽培植物を効率的に育成することができる。
【０００９】
また、本発明によれば、多孔性パイプが略円環状に形成されているので、多孔性パイプの内部に取り付けられた重り部材から印加された荷重によって、栽培植物の葉や茎を外側に向けて均等に押し広げることができ、多孔性パイプを栽培植物の上に載置することで、栽培植物の葉組み作業を簡単に行うことができる。
【００１０】
本発明のかかる目的はまた、栽培容器により育成される複数の植物上に載置される葉組み用フレームと、所定濃度の炭酸ガスを供給する炭酸ガス供給装置と、前記植物の葉の近傍に設けられた炭酸ガス濃度センサと、前記炭酸ガス濃度センサから取得した炭酸ガスに関する情報に基づいて前記炭酸ガス供給装置が供給する炭酸ガスの供給量及び供給時間を制御する制御部とを備え、前記葉組み用フレームが、枠状に形成された所定の重さを有する枠部材と、前記枠部材の内側の側面に沿って、固定するように配設された通気可能な枠管と、前記枠管から枠部材の内側に向けて延びた通気可能な複数の枝管と、それぞれが前記枠部材の内側の前記植物に対応する位置に設けられ、壁面に多数の孔が設けられている管材が略円環状に曲げられた複数の多孔性パイプであって、それぞれ、枠部材の下方に位置するように前記枝管と通気可能に接続された多孔性パイプと、一端部が前記枠管と通気可能に接続され、他端部が前記炭酸ガス供給装置に接続された気体供給管とを備え、前記多孔性パイプがそれぞれ対応する前記植物の上に、株元の中央部が開かれるように載置され、前記制御部が、前記炭酸ガス濃度センサから取得した炭酸ガス濃度が所定の閾値未満のときに、前記炭酸ガス供給装置に所定濃度の炭酸ガスを供給させるように構成されていることを特徴とする植物の栽培装置によって達成される。
【００１１】
本発明によれば、炭酸ガス濃度センサが栽培植物の葉の近傍で取得した炭酸ガス濃度が所定の閾値未満の場合に、制御部からの指令により炭酸ガス供給装置から所定の炭酸ガス濃度を有する十分な量の気体が気体供給管および葉組み用フレームの枠管、枝管および多孔性パイプを介して、栽培植物に供給されるから、各栽培植物の株元や葉に向けて炭酸ガスが散布される。したがって、栽培植物が光合成を開始して周囲の炭酸ガス濃度が低下するタイミングで、葉組み用フレームの各多孔性パイプから各栽培植物の株元に向けて十分な量の炭酸ガスを供給できるので、栽培植物の光合成を活性化して生育を促進し、品質の良い栽培植物を効率的に育成することができるとともに、複数の栽培植物に対して、一括して葉組み作業をすることができ、葉組みの作業効率を高めることができる。
【００１２】
また、本発明よれば、葉組み用フレームの枠部材には枠管が固定されており、枠管に取り付けられた枝管には、各多孔性パイプが枠部材の下方に位置するように取り付けられているから、多孔性パイプには、枠部材の荷重が印加される。したがって、葉組み用フレームを栽培植物上に載置して、各多孔性パイプを、対応する栽培植物の葉や茎が栽培容器の外側に向かうように設置した場合に、その設置した箇所に、所定の重さを有する枠部材の荷重が各多孔性パイプを介して印加されるので、対応する栽培植物の葉や茎を栽培容器の外側に向けて均等に押し広げるとともに、その押し広げることができ、各多孔性パイプを各栽培植物上に載置することで、栽培植物の葉組み作業を簡単に行うことができる。
【００１３】
本発明のさらに好ましい実施態様においては、前記葉組み用フレームを地面から支持するように前記枠部材に支持脚が取り付けられており、前記支持脚が、前記枠部材に取り付けられた支持軸と、前記支持軸を受ける軸受部材と、前記軸受部材を受けるソケット部材と、前記ソケット部材が取り付けられ、前記枠部材と平行になるように延びて地面と接している台座とを備え、前記軸受部材が、その軸方向に穴が設けられており、その穴には前記支持軸が軸方向に移動可能に挿入され、その穴の底面には弾性部材が取り付けられており、前記ソケット部材が、前記軸受部材を上下可能に保持するように構成されている。
【００１４】
本発明のこのさらに好ましい実施態様によれば、葉組み用フレームに支持脚が取り付けられていることによって、葉組み用フレームを安定して栽培植物上に載置することができる。また、ソケット部材に対して軸受部材を上下させることにより、軸受部材内の弾性部材から、支持軸を介して、葉組み用フレームに加わる力を調節することができるので、葉組み用フレームから、栽培植物に印加される荷重を調節することができ、栽培植物の生育状況に応じて適切な荷重をかけることができるので、栽培植物の葉組みを効率よく行うことができる。
【００１５】
さらに、葉組み用フレームから植物に印加される荷重を調節することができるから、葉組み用フレームの枠部材の上面に太陽光パネルを設置するなどの設計変更をして、葉組み用フレームの重量を増大させても、栽培植物に加わる荷重が過大になって、栽培植物を傷めることを確実に防止できるので、植物の栽培装置の拡張性を担保することができる。
【００１６】
本発明の好ましい実施態様においては、前記炭酸ガス供給装置は、空気と炭酸ガスとを前記気体供給管に切替可能に供給するように構成されている。
【００１７】
本発明のこの好ましい実施態様によれば、栽培植物が光合成を行なわず、したがって、炭酸ガスの供給が不要なときには、炭酸ガス供給装置から葉組み用器具の気体供給管および多孔性パイプを介して栽培植物に向けて空気を散布できるので、栽培植物の株元の通気性を高めて根腐れを防ぐとともに、栽培植物の呼吸を促進させ、栽培植物の生育をより促すことができる。
【００１８】
本発明のさらに好ましい実施態様においては、前記多孔性パイプは、その管材の一部に伸縮自在の継手が設けられている。
【００１９】
本発明のこのさらに好ましい実施態様によれば、多孔性パイプが伸縮自在の継手を備えているから、継手を伸縮させることによって、略円環状に曲げられた多孔性パイプの円環の径を変化させることができるから、栽培植物が成長したり、栽培容器を別のものに取り替えたりして、栽培植物の大きさが変わっても、多孔性パイプを交換する必要がなく、径が異なる多孔性パイプを用意しておく必要もないので、利便性が高い。
【００２０】
本発明のさらに好ましい実施態様においては、前記多孔性パイプは、始端部と終端部を有する曲げることができる管材によって構成され、前記始端部と前記終端部が近接するように、前記管材を略円環状に曲げることによって形成されている。
【００２１】
本発明のこのさらに好ましい実施態様によれば、多孔性パイプが始端部と終端部を有する曲げることができる管材によって構成され、始端部と終端部が近接するように、管材を略円環状に曲げることによって形成されているから、始端部と終端部を、多孔性パイプが略円環状を保持する範囲で位置決めすることによって、円環状に曲げられた多孔性パイプの径を変えることができ、栽培植物が成長したり、栽培容器を別のものに取り替えたりして、栽培植物の大きさが変わっても、多孔性パイプを交換する必要がなく、径が異なる多孔性パイプを用意しておく必要もないので、利便性が高い。また、円環状の多孔性パイプの径を変えるために、継手を備えている必要がなく、簡易かつ廉価に多孔性パイプを形成することができるのでより経済的である。
【発明の効果】
【００２２】
本発明によれば、葉組みを必要とする植物について、葉組み作業を簡単に行うことができ、かつ、品質の良い植物を効率的に育成することができる植物の栽培装置を提供することができる。
【図面の簡単な説明】
【００２３】
【図１】図１（ａ）は、本発明の好ましい実施態様にかかるシクラメンの栽培装置の全体構成を示す説明図であり、図１（ｂ）は、図１（ａ）に示されたシクラメンの植物の栽培装置の葉組み用器具の平面図である。
【図２】図２は、図１に示されたシクラメンの栽培装置の炭酸ガス供給装置の内部の構成を示す模式図である。
【図３】図３は、図１のシクラメンの栽培装置の気体供給制御の流れを示すフローチャート図である。
【図４】図４（ａ）は、本発明の別の好ましい実施態様にかかるシクラメンの栽培装置の全体構成を示す平面図であり、図４（ｂ）は、図４（ａ）に示されたシクラメンの栽培装置の葉組み用フレームの斜視図である。
【図５】図５（ａ）は、本発明の他の好ましい実施態様にかかるシクラメンの栽培装置の多孔性パイプの平面図であり、図５（ｂ）および図５（ｃ）はそれぞれ、図５（ａ）の多孔性パイプ５０を変形させた状態を示す平面図である。
【図６】図６は、本発明の他の好ましい実施態様にかかるシクラメンの栽培装置の葉組み用フレームの斜視図である。
【図７】図７は、図６に示された支持脚の略縦断面図である。
【図８】図８は、本発明の他の好ましい実施態様にかかるシクラメンの栽培装置の全体構成を示す平面図である。
【発明を実施するための形態】
【００２４】
以下、本発明の好ましい実施態様につき、添付図面を参照しつつ、詳細に説明を加える。
【００２５】
図１（ａ）は、本発明の好ましい実施態様に係る植物の栽培装置の全体構成を示す説明図であり、図１（ｂ）は、図１（ａ）に示された植物の栽培装置の葉組み用器具の平面図である。
なお、本実施態様においては、栽培植物がシクラメンである場合につき説明を加える。
【００２６】
図１（ａ）に示されるように、シクラメンの栽培装置１は、植物栽培用の鉢植えである栽培容器１０と、シクラメンの葉組みをするための器具である葉組み用器具１２と、所定の気体を供給する機具である炭酸ガス供給装置２４と、ＣＰＵ、記憶装置、記録装置、プログラム等を有する電子制御機器である制御部３０とを備え、炭酸ガス供給装置２４は、配線３１によって制御部３０と電気的に接続されている。
【００２７】
図１（ａ）に示されるように、栽培容器１０には、シクラメンが植えられている。また、図１（ａ）および図１（ｂ）に示されるように、シクラメン１１上には、その株元の中央部が開かれるように葉組み用器具１２の多孔性パイプ２０が載置されている。
【００２８】
葉組み用器具１２は、シクラメン１１の上に載置された多孔性パイプ２０と、所定の長さの気体供給管２２とを備えている。
気体供給管２２の一端部は、接続部材２１によって、多孔性パイプ２０に通気可能に取り付けられ気体供給管２２の他端部は、気体供給口２７を介して、炭酸ガス供給装置２４に接続されている。
【００２９】
葉組み用器具１２の多孔性パイプ２０は、壁面に複数の小さい孔（図示せず）を有し、可撓性を有するパイプであり、略円環状に形成されたものである。多孔性パイプ２０の内部は中空になっているので、気体を通すことができ、また、多孔性パイプ２０の壁面には複数の小さい孔が形成されているので、多孔性パイプ２０はその内部に供給された気体を、壁面の孔から外部に向けて流出させることができる。すなわち、多孔性パイプ２０の内部に十分な量の気体が送り込まれると、その気体は多孔性パイプ２０内に充満するとともに、壁面の孔を通じて流出するので、多孔性パイプ２０の周囲にその気体を散布することができる。
【００３０】
また、多孔性パイプ２０の一部は分岐して上方に突出しており、その突出部の先端部が、接続部材２１によって、樹脂製の中空パイプよりなる気体供給管２２の一端部に通気可能に接続されている。
その一端部が接続部材２１に接続された気体供給管２２は、その内部に気体を通すことができ、その他端部は炭酸ガス供給装置２４に接続され、炭酸ガス供給装置２４から、気体供給管２２内に気体を供給することによって、気体供給管２２の他端部から、その一端部に接続されている接続部材２１を介して、多孔性パイプ２０内に気体を供給することができる。
【００３１】
このように構成された葉組み用器具１２は、多孔性パイプ２０がシクラメン１１の上に載置され、炭酸ガス供給装置２４から、気体供給管２２および接続部材２１を通じて、多孔性パイプ２０の内部に十分な量の気体を送り込むことにより、シクラメン１１の株元や葉に向けてその気体を散布することができる。
【００３２】
図１（ａ）および図１（ｂ）に示されるように、栽培容器１０の内部には、シクラメン１１を定植させるための培養土が充填されており、この培養土の表面上には、炭酸ガス濃度センサ２５が取り付けられている。炭酸ガス濃度センサ２５は、設置された位置の周囲の炭酸ガス濃度を継続的に測定する計測デバイスであり、炭酸ガス濃度センサ２５が、シクラメン１１が植えられている培養土の表面上に設けられているので、シクラメン１１の葉の近くの炭酸ガス濃度及びその変化を測定することができる。
【００３３】
炭酸ガス濃度センサ２５は、配線３１によって制御部３０と電気的に接続されており、炭酸ガス濃度センサ２５により測定された炭酸ガス濃度に関する情報が、配線３１を通じて、所定の時間間隔で制御部３０に送られるように構成されている。したがって、制御部３０は、経時的にシクラメン１１の葉の近くの炭酸ガス濃度の値を取得することができる。
【００３４】
シクラメン１１に適切な葉組みをするには、そのシクラメン１１の大きさにあった多孔性パイプ２０を用いる必要があるが、シクラメン１１は、植えられている栽培容器１０の大きさや生育の状態によって株の大きさが異なるので、多孔性パイプ２０のサイズを、載置するシクラメン１１に合わせて変える必要がある。
【００３５】
本実施態様にかかる植物の栽培装置１においては、図１（ｂ）に示されるように、多孔性パイプ２０の一部には接続用部材である継手２０ａが設けられている。継手２０ａは、伸縮自在に構成されており、継手２０ａを伸ばすことによって、多孔性パイプ２０の円環の径を大きくし、継手２０ａを縮めることによって、多孔性パイプ２０の円環の径を小さくすることができる。
【００３６】
したがって、継手２０ａを伸縮させることによって、多孔性パイプ２０のサイズを変化させることができるから、シクラメン１１が成長したり、栽培容器１０を別のものに取り替えたりして、シクラメン１１の大きさが変わっても、多孔性パイプ２０を交換する必要はなく、サイズが異なる多孔性パイプ２０を用意しておく必要もないので、利便性が高い。
【００３７】
また、図１（ｂ）に示されるように、多孔性パイプ２０の管の内部には、複数の金属製の重り部材２６が、管壁に沿って均等間隔に取り付けられている。このように、多孔性パイプ２０内に重り部材２６が均等に配置されているので、多孔性パイプ２０をシクラメン１１の茎の上に、シクラメン１１の葉や茎が栽培容器１０の外側に向かうように載置した場合に、重り部材２６の重みで多孔性パイプ２０に印加された荷重によって、シクラメン１１の葉や茎を栽培容器１０の外側に向けて均等に押し広げるとともに、その押し広げた状態を維持することができる。
【００３８】
さらに、単一の重り部材２６が、多孔性パイプ２０内に配置されている場合には、多孔性パイプ２０の屈曲性を損なわれるが、本実施態様においては、複数の重り部材２６が、多孔性パイプ２０内に配置されているので、多孔性パイプ２０の屈曲性を損なわず、したがって、
多孔性パイプ２０の円環の径を変更させることの妨げとならない。
さらに、本実施態様においては、金属製の重り部材２６が管の内部に設けられていることにより、金属製の重り部材２６がシクラメン１１の葉や茎に接触して傷つけることがない。
【００３９】
このように、多孔性パイプ２０が略円環状に形成され、継手２０ａにより多孔性パイプ２０の円環の径を変更させることができるから、重り部材２６の重みにより、シクラメン１１の葉や茎を外側に向けて均等に押し広げることができ、したがって、多孔性パイプ２０をシクラメン１１上に載置することで、シクラメン１１の葉組み作業を簡易に行うことができる。
【００４０】
図２は、図１に示されたシクラメンの栽培装置１の炭酸ガス供給装置２４の内部の構成を示す模式図である。
図２に示されるように、炭酸ガス供給装置２４は、空気及び炭酸ガスを供給するものであり、圧縮空気貯蔵容器２４ａと、炭酸ガスボンベ２４ｂと、三方弁２３と、流量調節弁２３ａとを備えている。
【００４１】
圧縮空気貯蔵容器２４ａからは配管２２ａが延びており、炭酸ガスボンベ２４ｂからは配管２２ｂが延び、配管２２ａと配管２２ｂとはそれぞれ三方弁２３につながっている。三方弁２３からは、気体供給管２２に向かって、配管２２ｃが延びており、その途中には、流量調節弁２３ａが取り付けられている。配管２２ｃは、気体供給口２７を介して気体供給管２２と接続されている。
【００４２】
圧縮空気貯蔵容器２４ａは、エアコンプレッサー等により圧縮された空気が送り込まれた容器であり、圧縮された空気を貯蔵するとともに、貯蔵された空気を所定の圧力で配管２２ａに送り出すことができる。炭酸ガス供給装置２４が圧縮空気貯蔵容器２４ａを備えていることにより、炭酸ガス供給装置２４から圧縮空気を気体供給管２２に供給することができる。
【００４３】
炭酸ガスボンベ２４ｂは、高濃度の炭酸ガスが封入された容器であり、封入された炭酸ガスを所定の圧力で配管２２ｂに送り出すことができる。炭酸ガス供給装置２４が炭酸ガスボンベ２４ｂを備えていることにより、炭酸ガス供給装置２４から炭酸ガスの供給が可能になる。
【００４４】
三方弁２３は、配管２２ｃと配管２２ａおよび配管２２ｂとを選択的に切り替えることが可能なように、切替制御部（図示せず）を備えている。三方弁２３がこのような切替制御部を有しているので、配管２２ｃに、空気及び炭酸ガスを選択的に供給することができる。
【００４５】
流量調節弁２３ａは、配管２２ｃ内の気体の流量を増減可能な制御弁である。配管２２ｃに流量調節弁２３ａが設けられているので、配管２２ｃを通じて気体供給管２２に送られる気体の量を任意に増減させることができる。
【００４６】
また、図示してはいないが、炭酸ガス供給装置２４の圧縮空気貯蔵容器２４ａと、炭酸ガスボンベ２４ｂと、三方弁２３と、流量調節弁２３ａとは、それぞれが制御部３０に電気的に接続されている。したがって、制御部３０によって、切替制御部を制御することによって、三方弁２３を切り替え、配管２２ｃと配管２２ａまたは配管２２ｃと配管２２ｂとを選択的に連通させ、流量調節弁２３ａを制御して、配管２２ｃを流れる気体の流量を調節することができ、圧縮空気貯蔵容器２４ａによる空気の供給及びその停止ならびに炭酸ガスボンベ２４ｂによる炭酸ガスの供給及びその停止を制御することができる。
【００４７】
さらに、制御部３０は、三方弁２３の切替制御部にパルス信号を送り、その信号のパルス幅に応じた時間間隔で、三方弁２３を切り替えることにより、空気に炭酸ガスを所定の炭酸ガス濃度となるように混合させた気体を配管２２ｃに供給することができる。
【００４８】
この三方弁２３の切り替え制御は、例えば次のように行う。まず、切替制御部（図示せず）に入力された信号がオフのときは、配管２２ｃと配管２２ａとが接続され、信号がオンのとき配管２２ｃと配管２２ｂとが接続されるように設定しておく。このとき、圧縮空気貯蔵容器２４ａから配管２２ａに空気が送られており、炭酸ガスボンベ２４ｂから配管２２ｂに炭酸ガスが送られている状態で、切替制御部にデューティ比０．２５のパルス信号を送ると、三方弁２３は、配管２２ｃに空気と炭酸ガスとを３：１の割合で交互に送り込むように制御される。また、この場合、パルス信号が送られなければ、配管２２ｃには空気のみが送られ続ける。
【００４９】
三方弁２３がこのように制御されることにより、圧縮空気貯蔵容器２４ａから配管２２ａを通じて三方弁２３に供給される空気と、炭酸ガスボンベ２４ｂから配管２２ｂを通じて三方弁２３に供給される炭酸ガスとを、任意の割合で混合して配管２２ｃに送ることができる。すなわち、炭酸ガス供給装置２４は、配管２２ｃから気体供給口２７を介して気体供給管２２に、空気の炭酸ガス濃度を下限として、所望の炭酸ガス濃度を有する気体を送り込むことができる。
【００５０】
図３は、図１に示されたシクラメンの栽培装置１の気体供給の制御の流れを示すフローチャート図である。
図３に示されるように、シクラメンの栽培装置１の制御部３０は、まず、炭酸ガス供給装置２４の圧縮空気貯蔵容器２４ａに空気を供給するように指令を送り、三方弁２３に、配管２２ａを配管２２ｃとつなげるように指令を送り、流量調節弁２３ａに、配管２２ｃから気体供給管２２に送りこまれる気体の流量が所定の値になるように調節する指令を送る（ステップＳ１）。
【００５１】
このとき、炭酸ガス濃度センサ２５が、炭酸ガス濃度が所定の値よりも低下したことを検出すると、その旨の情報が制御部３０に送られる（ステップＳ２）。制御部３０がその旨の情報を取得すると、炭酸ガスボンベ２４ｂに炭酸ガスを供給するように指令を送り、三方弁２３に、配管２２ｃを配管２２ｂとつなげるように指令を送り、流量調節弁２３ａに、配管２２ｃから気体供給管２２に送りこまれる気体の流量が所定の値になるように調節する指令を送る（ステップＳ３）。
【００５２】
このとき、炭酸ガス濃度センサ２５が、炭酸ガス濃度が所定の値以上になったことを検出すると、その旨の情報が制御部３０に送られる（ステップＳ４）。制御部３０がその旨の情報を取得すると、炭酸ガスボンベ２４ｂに炭酸ガスの供給を停止するように指令を送り、三方弁２３に、配管２２ｃを配管２２ｂとつなげるように指令を送り、流量調節弁２３ａに、配管２２ｃから気体供給管２２に送りこまれる気体の流量が所定の値になるように調節する指令を送る（ステップＳ５）。
【００５３】
このように、炭酸ガス供給装置２４は、制御部３０により、炭酸ガス濃度センサ２５が取得した炭酸ガス濃度の値が所定値未満の場合だけ炭酸ガスを供給し、他の場合は、空気を供給し続けるように制御される。
【００５４】
シクラメン１１が光合成を活発に行うと、そのシクラメン１１の周囲の炭酸ガスが光合成により消費されるので、シクラメン１１の近傍の炭酸ガス濃度は低下する。炭酸ガス濃度センサ２５はシクラメン１１の近傍に設置されているので、炭酸ガス濃度センサ２５が取得した炭酸ガス濃度の値が所定値未満になった場合、シクラメン１１が光合成を活発に行なっていると判断することができる。
【００５５】
したがって、炭酸ガス濃度センサ２５が取得した炭酸ガス濃度の値が所定値未満の場合に、炭酸ガス供給装置２４から所定の炭酸ガス濃度を有する気体が供給されることにより、葉組み用器具１２の気体供給管２２および多孔性パイプ２０を介してシクラメン１１の株元に向けて十分な量の炭酸ガスを効率よく供給できるので、シクラメン１１の光合成を促進させ、品質の良いシクラメン１１を育成することができる。したがって、栽培植物が光合成を行なって周囲の炭酸ガス濃度が低下するタイミングで、葉組み用器具１２の多孔性パイプ２０からシクラメン１１の株元に向けて十分な量の炭酸ガスを供給できるので、シクラメン１１の光合成をより活性化させて生育を促進し、品質の良いシクラメンを効率的に育成することができる。
【００５６】
また、炭酸ガス濃度センサ２５が取得した炭酸ガス濃度の値が所定値以上の場合、すなわち、シクラメン１１が光合成をほとんど行っていないと考えられる場合には、炭酸ガス供給装置２４から炭酸ガスの供給が行われないので、不要な炭酸ガスの消費を抑えることができ、経済的である。
【００５７】
さらに、この場合には、炭酸ガス供給装置２４から空気が供給され、葉組み用器具１２の多孔性パイプ２０からシクラメン１１の株元や葉に向けて空気が散布されるので、シクラメン１１の株元の通気性を高めて根腐れを防ぐとともに、シクラメン１１の呼吸を促進させ、シクラメン１１の生育をより促すことができる。
【００５８】
図４（ａ）は、本発明の別の好ましい実施態様にかかるシクラメンの栽培装置の全体構成を示す平面図であり、図４（ｂ）は、図４（ａ）に示されたシクラメンの栽培装置の葉組み用フレームの斜視図である。
【００５９】
図４（ａ）および図４（ｂ）に示されるように、シクラメンの栽培装置２は、４つのシクラメン１１が植えられた複数の栽培容器１０を備え、葉組み用フレーム４０と、炭酸ガス供給装置２４と、制御部３０とを備えている。
【００６０】
葉組み用フレーム４０は、棒材が組み合わされて形成された所定の重さを有する方形の枠部材４１と、枠部材４１に取り付けられ、枠部材４１の内側の側面に沿って、配設され、枠部材４１と通気可能な枠管４３を備え、枠管４３の内側には、複数の多孔性パイプ４４が、それぞれ枠部材４１の内側に配置された対応するシクラメン１１上に設けられている。複数の多孔性パイプ４４は、それぞれ、枝管４２が通気可能に取り付けられ、枝管４２は枠管４３と通気可能に取り付けられている。
【００６１】
また、方形状をなす枠部材４１の対向する二対の辺の一方の辺の中央を接続するように、
中板４５が設けられており、中板４５の中央には、配線３１によって制御部３０に電気的に接続された炭酸ガス濃度センサ２５が吊架されている。
図４（ｂ）に示されるように、炭酸ガス濃度センサ２５は、各シクラメン１１の葉の近傍に位置するように地面からの高さが調節されている。したがって、各シクラメン１１の葉の近くの炭酸ガス濃度及びその変化を精度よく測定することができる。
【００６２】
枠管４３には気体供給管２２の一端部が接続されており、気体供給管２２の他端部には気体供給口２７を介して炭酸ガス供給装置２４が接続されている。炭酸ガス供給装置２４は、配線３１によって制御部３０と電気的に接続されている。
【００６３】
多孔性パイプ４４は、図１に示された植物の栽培装置１の多孔性パイプ２０と同様に、壁面に複数の小さい孔（図示せず）が形成された屈曲可能なパイプであり、その両端を繋げるように接続用の管状部材である継手２０ａが取りつけられ、略円環状に形成されたものである。
【００６４】
多孔性パイプ４４の内部には気体を通すことができ、また、多孔性パイプ４４の壁面に複数の小さい孔が形成されているので、多孔性パイプ４４はその内部に供給された気体を壁面の孔から外部に流出させることができる。すなわち、多孔性パイプ４４の内部に十分な量の気体が送り込まれると、その気体は多孔性パイプ４４内に充満するとともに、壁面の孔を通じて流出するので、多孔性パイプ４４の周囲に、その気体を散布することができる。
【００６５】
また、図４（ｂ）に示されるように、多孔性パイプ４４の一部に、上方に延びる分岐管４４ａが取り付けられ、分岐管４４ａの先端部には、接続部材２１が、分岐管４４ａと枝管４２を連通可能に取り付けられている。したがって、気体供給管２２から枠管４３に気体を供給することにより、枠管４３と接続している各枝管４２を通じて多孔性パイプ４４内に気体を供給することができる。
【００６６】
このように葉組み用フレーム４０が構成されているので、各多孔性パイプ４４がそれぞれシクラメン１１の上に載置された状態で、炭酸ガス供給装置２４から気体供給管２２を通じて多孔性パイプ４４に十分な量の気体を送り込むことができ、各シクラメン１１の株元や葉に向けてその気体を散布することが可能になる。
【００６７】
さらに、図４（ａ）および図４（ｂ）に示されるように、葉組み用フレーム４０の枠部材４１には枠管４３が固定され、枠管４３に取り付けられた枝管４２には、対応する分岐管４４ａを介して、各多孔性パイプ４４が取り付けられているから、多孔性パイプ４４には、枠部材４１、枠管４３、枝管４２および分岐管４４ａの荷重が印加される。
【００６８】
すなわち、葉組み用フレーム４０をシクラメン１１上に載置して、各多孔性パイプ４４が対応するシクラメン１１の葉や茎を栽培容器１０の外側に向かうように設置した場合に、その設置した箇所に、枠部材４１、枠管４３、枝管４２および分岐管４４ａの荷重が各多孔性パイプ４４を介して印加されるので、対応するシクラメン１１の葉や茎を栽培容器１０の外側に向けて均等に押し広げるとともに、その押し広げた状態を維持することができる。
【００６９】
したがって、前記実施態様にかかる多孔性パイプ２０とは異なり、本実施態様にかかる多孔性パイプ４４の内部には、金属製の重り部材２６は設けられていない。
【００７０】
このように、植物の栽培装置２が、葉組み用フレーム４０と、炭酸ガス供給装置２４と、制御部３０とを備えているので、植物の栽培装置１の葉組み用器具２０と同様に、各シクラメン１１の葉組み及び生育を促進することができ、かつ、複数のシクラメン１１に対して、一括して葉組み作業をすることが可能になるので、葉組みの作業効率を高めることができる。
【００７１】
したがって、本実施態様にかかる植物の栽培装置１においても、図３に示された処理を実行することにより、前記実施態様にかかる植物の栽培装置１と同様の作用効果を得ることが可能になる。具体的には、炭酸ガス濃度センサ２５が取得した炭酸ガス濃度の値が所定値未満の場合に、炭酸ガス供給装置２４から所定の炭酸ガス濃度を有する気体が供給されることにより、葉組み用フレーム４０の各多孔性パイプ４４からそれぞれが載置されているシクラメン１１の株元に向けて十分な量の炭酸ガスを供給することができるので、各シクラメン１１の光合成を促進させ、これにより、品質の良いシクラメン１１を効率的に育成することができる。
【００７２】
図５（ａ）は、本発明の他の好ましい実施態様にかかるシクラメンの栽培装置の多孔性パイプの平面図であり、図５（ｂ）および図５（ｃ）はそれぞれ、図５（ａ）の多孔性パイプ５０を変形させた状態を示す平面図である。図５（ａ）ないし図５（ｃ）は、図１の多孔性パイプ２０及び図４の多孔性パイプ４４の変更例を示している。
図５（ａ）ないし図５（ｃ）に示されるように、本実施態様にかかる多孔性パイプ５０は、壁面に複数の小さい孔を有するパイプを略円環状に屈曲させたものであり、多孔性パイプ５０の始端部にはパイプ端５０ａが、多孔性パイプ５０の終端部には、終端にはパイプ端５０ｂが、それぞれパイプを塞ぐように取り付けられている。
【００７３】
また、多孔性パイプ５０は、そのパイプの一部が分岐して上方に突出しており、その突出した部分の先端部が接続部材２１によって、枝管４２に接続され、枝管４２を介して、気体供給管２２に通気可能に接続されている。気体供給管２２から、枝管４２および接続部材２１を介して、気体を送ることにより、多孔性パイプ５０内に気体を供給することができる。
【００７４】
図５（ａ）および図５（ｂ）に示されるように、多孔性パイプ５０は、その両端、すなわち、パイプ端５０ａおよびパイプ端５０ｂが互いに繋がれておらず、また、屈曲可能に構成されているので、多孔性パイプ５０の両端５０ａ、５０ｂを円周に沿って動かすようにして変形させることにより、多孔性パイプ５０を、その径ｒが、図５（ｂ）に示されるように、より小さな径ｒ１になるように変形させることができ、また、図５（ｃ）に示されるように、より大きな径ｒ２になるように変形させることができる。
【００７５】
このように、本実施態様にかかる多孔性パイプ５０は、円環状に変形させる場合に、その径を変更することができるように構成されているので、シクラメン１１が成長したり、栽培容器１０を別のものに取り替えたりして、シクラメン１１の大きさが変わっても、径が異なる円環状の多孔性パイプ５０に取り換える必要がなく、径が異なる円環状の多孔性パイプ５０を用意しておくことも必要ではないから、利便性が高い。
【００７６】
また、円環状の多孔性パイプ５０の径を変えるために、継手２０ａを備えている必要がなく、簡易かつ廉価に多孔性パイプを形成することができるので、より経済的である。
【００７７】
図６は、本発明の他の好ましい実施態様にかかるシクラメンの栽培装置の葉組み用フレームの斜視図であり、図４の葉組み用フレーム４０に支持脚が取り付けられた構成を示している。
図６に示されるように、葉組み用フレーム４０の枠部材４１の一対の長辺には、２つの支持脚６０が互いに向かい合うように取り付けられており、葉組み用フレーム４０が２つの支持脚６０によって支持されている。各支持脚６０は、枠部材４１に取り付けられた支持軸６１と、支持軸６１を受け入れる軸受部材６２と、軸受部材６２を受け入れるソケット部材６３と、ソケット部材６３が取り付けられ、地面と接する台座６５とを備えている。また、各支持脚６０において、台座６５は、支持脚６０が取り付けられている枠部材４１の辺と平行に延びている。
【００７８】
図６に示されるように、本実施態様においては、２つの支持脚６０が枠部材４１の一対の長辺に互いに向かい合うように取り付けられ、各台座６５が、支持脚６０が取り付けられている枠部材４１の一対の長辺と平行に延びているから、支持脚６０によって、葉組み用フレーム４０が傾かないように支持されるので、葉組み用フレーム４０を安定して、シクラメン１１上に載置することができる。したがって、葉組み用フレーム４０が、載置されているシクラメン１１からずれて、一部のシクラメン１１に荷重をかけすぎて傷めたり、載置されているシクラメン１１から落下して、葉組みが解除されたりすることを防止することができる。
【００７９】
図７は、図６に示された支持脚６０の略縦断面図である。
図７に示されるように、軸受部材６２はその軸方向に穴が形成されており、その穴には支持軸６１が軸方向に移動可能に挿入されている。また、軸受部材６２の穴の底面には弾性部材６４が取り付けられており、軸受部材６２の穴に挿入された支持軸６１は、弾性部材６４によって弾力的に支持されている。
【００８０】
軸受部材６２に挿入された支持軸６１は弾性部材６４によって弾力的に支持されているため、葉組み用フレーム４０が支持軸６１から反発力を受けるので、葉組み用フレーム４０からシクラメン１１に印加される荷重を軽減することができる。
【００８１】
図７に示されるように、軸受部材６２の外表面には雄ねじ部が形成されている。また、ソケット部材６３は円筒形に形成され、軸受部材６２を挿入可能なサイズを有しており、ソケット部材６３の内表面には、軸受部材６２の外表面に形成された雄ねじ部と螺合可能な雌ねじ部が形成されている。
したがって、軸受部材６２をソケット部材６３内にねじ込んで、軸受部材６２の外表面に形成された雄ねじ部をソケット部材６３の内表面に形成された雌ねじ部に螺合させることによって、ソケット部材６３により軸受部材６２を保持させることができ、軸受部材６２をソケット部材６３内にねじ込んだ状態で軸受部材６２を回転させることにより、ソケット部材６３に対して軸受部材６２を上下させることができる。
【００８２】
このように構成された本実施態様においては、葉組み用フレーム４０が４つのシクラメン１１の上に載置されている状態では、葉組み用フレーム４０の荷重は一対の支持脚６０及びシクラメン１１に分散されて印加されている。
このとき、ソケット部材６３に対して、軸受部材６２を上昇させると、支持軸６１が枠部材４１に取り付けられているため、弾性部材６４が圧縮され、したがって、弾性部材６４から、支持軸６１を介して、葉組み用フレーム４０に印加される上向きの力が大きくなり、シクラメン１１に印加される荷重はさらに軽減される。
これに対して、ソケット部材６３に対して軸受部材６２を下降させると、弾性部材６４が伸びるので、弾性部材６４から、支持軸６１に印加される力が小さくなるから、支持軸６１から、葉組み用フレーム４０に加わる力も小さくなり、シクラメン１１に印加される荷重は増大する。
【００８３】
すなわち、ソケット部材６３に対して軸受部材６２を上下させることにより、軸受部材６２内の弾性部材６４から、支持軸６１を介して、葉組み用フレーム４０に加わる力を調節することができるので、葉組み用フレーム４０から、シクラメン１１に印加される荷重を調節することができる。
【００８４】
本実施態様においては、このように、弾性部材６４から、支持脚６１を介して、葉組み用フレーム４０に印加される力を調節することによって、シクラメン１１に加わる荷重を調節することが可能になるので、生育状況に応じて、シクラメン１１に適切な荷重を印加することができ、したがって、シクラメン１１の葉組みを効率よく行うことができる。
さらに、葉組み用フレーム４０の枠部材４１の上面に太陽光パネルを設置するなどの設計変更をして、葉組み用フレーム４０の重量を増大させても、シクラメン１１に加わる荷重が過大になって、シクラメン１１を傷めることを確実に防止できるので、植物の栽培装置の拡張性を担保することができる。
【００８５】
図８は、本発明の他の好ましい実施態様にかかるシクラメンの栽培装置の全体構成を示す平面図であり、図５に示される葉組み用フレーム４０が複数個配列された構成を示している。
図８に示されるように、本実施態様にかかるシクラメンの栽培装置３は、複数個のシクラメン１１上に載置された葉組み用フレーム４０を複数個備え、炭酸ガス供給装置２４と、制御部３０とを備えている。炭酸ガス供給装置２４は、配線３１によって制御部３０と電気的に接続されている。
【００８６】
炭酸ガス供給装置２４からは、気体供給口２７を介して、気体供給管２２が延びている。気体供給管２２は途中で分岐しており、分岐した管の一端部がそれぞれ各葉組み用フレーム４０の枠管４３に、流量調節弁７０を介して、接続されている。流量調節弁７０は、対応する葉組み用フレーム４０の枠管４３に向けて気体供給管２２から流入する気体の量を調節するための制御弁である。
【００８７】
また、制御部３０からは複数の配線３１が延びており、各葉組み用フレーム４０の炭酸ガス濃度センサ２５及び流量調節弁７０にそれぞれ接続されている。したがって、制御部３０は、葉組み用フレーム４０ごとに、そこに配置されている炭酸ガス濃度センサ２５から情報を取得でき、また、対応する流量調節弁７０を独立して制御することができる。
【００８８】
葉組み用フレーム４０が複数個設置されている場合には、各葉組み用フレーム４０の設置に一定の広さを要することになり、同一の栽培施設内であっても日当たりや風通しの際に生じる炭酸ガス濃度の差異が、葉組み用フレーム４０の設置位置ごとに大きくなるので、全ての葉組み用フレーム４０について同一条件で炭酸ガスを供給するためには、炭酸ガスを不要に消費することが多くなりコストがかさむことになる。
【００８９】
しかしながら、本実施態様においては、流量調節弁７０が、葉組み用フレーム４０ごとに、独立して制御可能に設けられているから、各葉組み用フレーム４０の炭酸ガス濃度センサ２５から取得した炭酸ガス濃度に基づいて、その葉組み用フレーム４０内のシクラメン１１に必要な分の炭酸ガスが供給されるように炭酸ガスの流量を制御することができ、したがって、不要な炭酸ガスの消費を抑えることができ経済的である。
【００９０】
以上の実施態様は、本発明の具体的な実施の一例であり、本発明の技術範囲を限定するものではない。すなわち、本発明は、以上の実施態様の他、特許請求の範囲に記載された発明の範囲内で種々の変更が可能である。
【００９１】
例えば、図１に示された実施態様にかかるシクラメンの栽培装置１の多孔性パイプ２０又は図４に示された実施態様にかかるシクラメンの栽培装置２の多孔性パイプ４４は、いずれも継手２０ａを一つ備えているが、継手２０ａを一つだけ備えていることは必ずしも必要でなく、継手２０ａを二つ以上備えていてもよい。
【００９２】
また、図１、図４、及び図７に示された実施態様においては、制御部３０と、炭酸ガス供給装置２４の各構成機器、炭酸ガス濃度センサ２５、流量調節弁７０（図７）などの他の機器との通信は配線３１を用いた有線接続により行われているが、通信を有線接続により行うことは必ずしも必要でなく、配線３１を設ける代わりに、制御部３０及び他の機器のそれぞれに無線通信手段を設けて、無線により通信するようにしてもよい。
【００９３】
また、前記の実施態様においては、各葉組み用フレーム４０は２×２の配列で計４つのシクラメン１１の葉組みができるように構成されているが、葉組みをするシクラメン１１の配列及び個数はこれに限られず、例えば、各葉組み用フレームを、３×３の配列で計９つのシクラメン１１の葉組みができるように構成してもよく、あるいは、１×５の配列で計５つのシクラメン１１の葉組みができるように構成してもよい。
【００９４】
さらに、前記の実施態様においては、葉組み用フレーム４０の支持脚６０は、枠部材４１の一対の長辺に取り付けられているが、支持脚の配置や個数はこれに限られず、例えば、葉組み用フレーム４０の中央に位置するように中板４５に１つの支持脚を取り付けてもよく、枠部材４１の四隅にそれぞれ支持脚を取り付けてもよい。
【符号の説明】
【００９５】
１      シクラメンの栽培装置
２      シクラメンの栽培装置
３      シクラメンの栽培装置
１０    栽培容器
１１    シクラメン
１２    葉組み用器具
２０    多孔性パイプ
２１    接続部材
２２    気体供給管
２２ａ  配管
２２ｂ  配管
２２ｃ  配管
２３    三方弁
２３ａ  流量調節弁
２４    炭酸ガス供給装置
２４ａ  圧縮空気貯蔵容器
２４ｂ  炭酸ガスボンベ
２５    炭酸ガス濃度センサ
２６    重り部材
２７    気体供給口
３０    制御部
３１    配線
４０    葉組み用フレーム
４１    枠部材
４２    枝管
４３    枠管
４４    多孔性パイプ
４４ａ  分岐管
４５    中板
５０    多孔性パイプ
５０ａ  パイプ端
５０ｂ  パイプ端
６０    支持脚
６１    支持軸
６２    軸受部材
６３    ソケット部材
６４    弾性部材
６５    台座
７０    流量調節弁
【図１】
2019118282.tif 000003
【図２】
2019118282.tif 000004
【図３】
2019118282.tif 000005
【図４】
2019118282.tif 000006
【図５】
2019118282.tif 000007
【図６】
2019118282.tif 000008
【図７】
2019118282.tif 000009
【図８】
2019118282.tif 000010